(57)【要約】      （修正有）【課題】投函口の開閉を容易に行うことができる箱用シートを提供する。【解決手段】箱用シートは、組立状態で対向する一対の第１側面パネル１ａ、１ｂ及び一対の第２側面パネル２ａ、２ｂと、少なくとも一方の第１側面パネルの上縁から延出する蓋外フラップ３ａ、３ｂと、少なくとも一方の第２側面パネルの上縁から延出する蓋内フラップ４ａ、４ｂとを備え、蓋外フラップの内側に蓋内フラップが配置されて蓋部が組み立てられる箱用シート１０であって、蓋内フラップが延出している第２側面パネルに、この第２側面パネルと蓋内フラップとに跨って形成される舌片１５によって画定される投函口が設けられており、舌片が、第２側面パネルに形成され、左右方向に延びる折り曲げ容易線１６を下端縁として、第２側面パネル内に形成される左右方向に細長の本体と、本体の上縁から蓋内フラップ内に突出する突出部とを有する。【選択図】図１
0003235205.tif 000002
【実用新案登録請求の範囲】
【請求項１】
組立状態で対向する一対の第１側面パネル及び一対の第２側面パネルと、
少なくとも一方の上記第１側面パネルの上縁から延出する蓋外フラップと、
少なくとも一方の上記第２側面パネルの上縁から延出する蓋内フラップと
を備え、
上記蓋外フラップの内側に上記蓋内フラップが配置されて蓋部が組み立てられる箱用シートであって、
上記蓋内フラップが延出している第２側面パネルに、この第２側面パネルと上記蓋内フラップとに跨って形成される舌片によって画定される投函口が設けられており、
上記舌片が、上記第２側面パネルに形成され、左右方向に延びる折り曲げ容易線を下端縁として、上記第２側面パネル内に形成される左右方向に細長の本体と、上記本体の上縁から上記蓋内フラップ内に突出する突出部とを有する箱用シート。
【請求項２】
上記突出部の幅が、上記蓋内フラップ内において、突出方向先端側に向けて漸減している請求項１に記載の箱用シート。
【請求項３】
上記突出部が、上記第２側面パネルと上記蓋内フラップとに跨って設けられており、
上記突出部に、上記第２側面パネルと上記蓋内フラップとの境界線上に両端が位置し、上記第２側面パネル側に凸な持ち手形成用のスリットが設けられている請求項１又は請求項２に記載の箱用シート。
【請求項４】
上記蓋外フラップが、上記一対の第１側面パネルの上縁からそれぞれ延出しており、
一対の上記蓋外フラップ同士が互いに係合されることで、上記蓋部の閉塞状態を保持できるよう構成されている請求項１、請求項２又は請求項３に記載の箱用シート。
【請求項５】
一方の上記蓋外フラップが、先端縁に凸部を有し、
他方の上記蓋外フラップが、上記凸部に係合する凹部を有し、
上記一対の蓋外フラップが、それぞれ基端縁の両側の角部から先端縁に向けて幅方向の内側に傾斜して延びる一対の弱化線を有する請求項４に記載の箱用シート。
【考案の詳細な説明】
【技術分野】
【０００１】
本考案は、箱用シートに関する。
【背景技術】
【０００２】
段ボールシート等の箱用シートから組み立てられる箱体が、物品の保管、運搬等に用いられている。この箱体としては、組立状態で内部に書類を入れることができるように挿入口が形成されたものが提案されている（特許文献１参照）。
【先行技術文献】
【特許文献】
【０００３】
【特許文献１】実全平２−８７１６号公報
【考案の概要】
【考案が解決しようとする課題】
【０００４】
特許文献１には、挿入口が、側板の上部に左右方向に延びる折線と、この折線の両端部に接続されて下方に突出するコ字状の切込みとによって設けられることが記載されている。特許文献１には、上記折線及び上記切込みによって画定される蓋片によって上記挿入口を開閉自在に構成することで、書類の落下を防止できることが記載されている。
【０００５】
しかしながら、特許文献１に記載されている構成によると、挿入口から書類を挿入すべく蓋片を一旦箱体内に押し込むと、この挿入口を再度塞ぐように箱体内から蓋片を引き出すことが容易でない。
【０００６】
本考案は、このような事情に基づいてなされたものであり、投函口の開閉を容易に行うことができる箱用シートを提供することを目的とする。
【課題を解決するための手段】
【０００７】
本考案の一態様に係る箱用シートは、組立状態で対向する一対の第１側面パネル及び一対の第２側面パネルと、少なくとも一方の上記第１側面パネルの上縁から延出する蓋外フラップと、少なくとも一方の上記第２側面パネルの上縁から延出する蓋内フラップとを備え、上記蓋外フラップの内側に上記蓋内フラップが配置されて蓋部が組み立てられる箱用シートであって、上記蓋内フラップが延出している第２側面パネルに、この第２側面パネルと上記蓋内フラップとに跨って形成される舌片によって画定される投函口が設けられており、上記舌片が、上記第２側面パネルに形成され、左右方向に延びる折り曲げ容易線を下端縁として、上記第２側面パネル内に形成される左右方向に細長の本体と、上記本体の上縁から上記蓋内フラップ内に突出する突出部とを有する。
【考案の効果】
【０００８】
本考案の一態様に係る箱用シートは、投函口の開閉を容易に行うことができる。
【図面の簡単な説明】
【０００９】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の持ち手部を引き出した状態を示す部分拡大図である。
【図４】図４は、図２の箱体の持ち手部を引き出した状態の模式的平面図である。
【図５】図５は、図２の箱体の舌片を開放した状態を示す模式的斜視図である。
【図６】図６は、図５の箱体の投函口に書類を挿入している状態を示す模式的斜視図である。
【考案を実施するための形態】
【００１０】
［本考案の実施形態の説明］
最初に本考案の実施態様を列記して説明する。
【００１１】
本考案の一態様に係る箱用シートは、組立状態で対向する一対の第１側面パネル及び一対の第２側面パネルと、少なくとも一方の上記第１側面パネルの上縁から延出する蓋外フラップと、少なくとも一方の上記第２側面パネルの上縁から延出する蓋内フラップとを備え、上記蓋外フラップの内側に上記蓋内フラップが配置されて蓋部が組み立てられる箱用シートであって、上記蓋内フラップが延出している第２側面パネルに、この第２側面パネルと上記蓋内フラップとに跨って形成される舌片によって画定される投函口が設けられており、上記舌片が、上記第２側面パネルに形成され、左右方向に延びる折り曲げ容易線を下端縁として、上記第２側面パネル内に形成される左右方向に細長の本体と、上記本体の上縁から上記蓋内フラップ内に突出する突出部とを有する。
【００１２】
当該箱用シートは、上記舌片が、上記第２側面パネルに形成され、左右方向に延びる折り曲げ容易線を下端縁として、上記第２側面パネル内に形成される左右方向に細長の本体を有するので、上記投函口における上記本体に対応する部分から箱体内に書類を挿入することができる。また、当該箱用シートは、上記舌片が、上記本体の上縁から上記蓋内フラップ内に突出する突出部を有するので、上記投函口から箱体内に書類を挿入した後に、上記舌片によって上記投函口を塞いだ際に、上記突出部が上記蓋内フラップの切断縁と当接することで、舌片の過剰な押し込みが防止される。そのため、当該箱用シートは、投函口の開閉を容易に行うことができる。当該箱用シートは、書類を箱体内に挿入する際に上記舌片を開放し、書類の挿入後には上記舌片を閉じることができるので、書類を外部から視認されない状態で、箱体内に安全に保管することができる。
【００１３】
上記突出部の幅が、上記蓋内フラップ内において、突出方向先端側に向けて漸減しているとよい。このように、上記突出部の幅が、上記蓋内フラップ内において、突出方向先端側に向けて漸減していることで、上記舌片による上記投函口の開閉作業の容易化を促進することができる。
【００１４】
上記突出部が、上記第２側面パネルと上記蓋内フラップとに跨って設けられており、上記突出部に、上記第２側面パネルと上記蓋内フラップとの境界線上に両端が位置し、上記第２側面パネル側に凸な持ち手形成用のスリットが設けられているとよい。このように、上記突出部が、上記第２側面パネルと上記蓋内フラップとに跨って設けられており、上記突出部に、上記第２側面パネルと上記蓋内フラップとの境界線上に両端が位置し、上記第２側面パネル側に凸な持ち手形成用のスリットが設けられていることによって、上記舌片による上記投函口の開閉作業の容易化を促進することができる。
【００１５】
上記蓋外フラップが、上記一対の第１側面パネルの上縁からそれぞれ延出しており、一対の上記蓋外フラップ同士が互いに係合されることで、上記蓋部の閉塞状態を保持できるよう構成されているとよい。このように、上記蓋外フラップが、上記一対の第１側面パネルの上縁からそれぞれ延出しており、一対の上記蓋外フラップ同士が互いに係合されることで、上記蓋部の閉塞状態を保持できるよう構成されていることによって、箱体の蓋部を組み立てるにあたって、封函テープを用いることを要しない。そのため、この封函テープによって上記舌片の開閉が妨げられない。従って、この構成によると、上記舌片による上記投函口の開閉作業の容易化を促進することができる。
【００１６】
一方の上記蓋外フラップが、先端縁に凸部を有し、他方の上記蓋外フラップが、上記凸部に係合する凹部を有し、上記一対の蓋外フラップが、それぞれ基端縁の両側の角部から先端縁に向けて幅方向の内側に傾斜して延びる一対の弱化線を有するとよい。このように、一方の上記蓋外フラップが、先端縁に凸部を有し、他方の上記蓋外フラップが、上記凸部に係合する凹部を有し、上記一対の蓋外フラップが、それぞれ基端縁の両側の角部から先端縁に向けて幅方向の内側に傾斜して延びる一対の弱化線を有することによって、上記一対の蓋外フラップ同士を係合することで、封函テープを用いなくても箱体の蓋部を容易かつ確実に組み立てることができる。
【００１７】
なお、本考案において、「左右方向」とは、箱用シートを組み立ててなる箱体において想定される一般的な使用態様における水平方向を意味する。「上」とは、上記左右方向を基準とする上を意味し、「下」とは、上記左右方向を基準とする下を意味する。
【００１８】
［本考案の実施形態の詳細］
以下、適宜図面を参照しつつ、本考案の実施の形態を詳説する。
【００１９】
［箱用シート］
図１の箱用シート１０は、組立状態で対向する一対の第１側面パネル１ａ、１ｂ及び一対の第２側面パネル２ａ、２ｂと、一対の第１側面パネル１ａ、１ｂの上縁からそれぞれ延出する蓋外フラップ（第１蓋外フラップ３ａ及び第２蓋外フラップ３ｂ）と、一対の第２側面パネル２ａ、２ｂの上縁からそれぞれ延出する蓋内フラップ４ａ、４ｂとを備える。一対の第１側面パネル１ａ、１ｂ及び一対の第２側面パネル２ａ、２ｂは、左右方向に交互に連接されている。また、当該箱用シート１０は、一対の第１側面パネル１ａ、１ｂの下縁からそれぞれ延出する底外フラップ（第１底外フラップ５ａ及び第２底外フラップ５ｂ）と、一対の第２側面パネル２ａ、２ｂの下縁からそれぞれ延出する底内フラップ６ａ、６ｂと、左右方向外側（図１では左側）の第１側面パネル１ａの左右方向外側の側縁から延出する継代７とを備える。第１側面パネル１ａ、１ｂと、第２側面パネル２ａ、２ｂと、継代７との間の境界線、並びに第１側面パネル１ａ、１ｂと第１蓋外フラップ３ａ及び第２蓋外フラップ３ｂ、第１側面パネル１ａ、１ｂと第１底外フラップ５ａ及び第２底外フラップ５ｂ、第２側面パネル２ａ、２ｂと蓋内フラップ４ａ、４ｂ、第２側面パネル２ａ、２ｂと底内フラップ６ａ、６ｂとの間の境界線には、それぞれ折り曲げ容易線が形成されている。この折り曲げ容易線としては、例えばシート材の内面を筋押しして形成された罫線が挙げられる。
【００２０】
当該箱用シート１０は、図２から図６に示す箱体３０に組み立てられる。当該箱用シート１０を箱体３０に組み立てる手順について説明する。まず、左右方向外側（図１では左側）に位置する第１側面パネル１ａをこの第１側面パネル１ａに連接される第２側面パネル２ａの内面に折り重ね、左右方向外側（図１では右側）に位置する第２側面パネル２ｂをこの第２側面パネル２ｂに連接される第１側面パネル１ｂの内面に折り重ね、継代７を折り重ねられた第２側面パネル２ｂの内面に貼着する。次に、無端状に接続された一対の第１側面パネル１ａ、１ｂ及び一対の第２側面パネル２ａ、２ｂを四角筒状に広げたうえで、一対の底内フラップ６ａ、６ｂを内側に折り曲げ、さらに第１底外フラップ５ａ及び第２底外フラップ５ｂを内側に折り曲げて互いに係合することで、箱体３０の底部を組み立てる。続いて、一対の蓋内フラップ４ａ、４ｂを内側に折り曲げ、さらに第１蓋外フラップ３ａ及び第２蓋外フラップ３ｂを内側に折り曲げて互いに係合することで、箱体３０の蓋部を組み立てる。箱体３０の底部及び蓋部の具体的な組立手順については後述する。
【００２１】
当該箱用シート１０は、１枚のシートから形成されている。当該箱用シート１０に用いられるシートとしては、当該箱用シート１０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（第１側面パネル）
一対の第１側面パネル１ａ、１ｂは矩形状かつ略同一形状に形成されている。第１側面パネル１ａ、１ｂの左右方向長さは第２側面パネル２ａ、２ｂの左右方向長さよりも大きい。つまり、第１側面パネル１ａ、１ｂは、箱体３０における長さ面を構成する長さ面パネルである。
【００２３】
第１側面パネル１ａ、１ｂの左右方向長さとしては、箱体３０に収容する物品の大きさや数量等に基づいて適宜設定可能であるが、例えば１５ｃｍ以上７０ｃｍ以下とすることができる。第１側面パネル１ａ、１ｂの上下方向長さとしては、箱体３０に収容する物品の大きさや数量等に基づいて適宜設定可能であるが、例えば１５ｃｍ以上５０ｃｍ以下とすることができる。
【００２４】
（第２側面パネル）
一対の第２側面パネル２ａ、２ｂは矩形状かつ略同一形状に形成されている。第２側面パネル２ａ、２ｂは、箱体３０における幅面を構成する幅面パネルである。第２側面パネル２ａ、２ｂの左右方向長さとしては、箱体３０に収容する物品の大きさや数量等に基づいて適宜設定可能であるが、例えば１０ｃｍ以上５０ｃｍ以下とすることができる。第２側面パネル２ａ、２ｂの上下方向長さとしては、第１側面パネル１ａ、１ｂの上下方向長さと同じとすることができる。
【００２５】
（蓋外フラップ）
第１蓋外フラップ３ａは、略矩形状に形成されている。第１蓋外フラップ３ａの幅は、第１側面パネル１ａの左右方向長さと略等しい。第１蓋外フラップ３ａは、先端縁に後述する凸部１３ａに係合する凹部１１を有する。凹部１１はＵ字状であり、より詳しくは角Ｕ字状（コ字状）である。第１蓋外フラップ３ａは、基端縁の両側の角部から先端縁に向けて幅方向の内側に傾斜して延びる一対の弱化線１２を有する。弱化線１２は直線状である。
【００２６】
第２蓋外フラップ３ｂの幅は、第１側面パネル１ｂの左右方向長さと略等しい。第２蓋外フラップ３ｂは、先端縁に凸部１３ａを有する。より詳しくは、第２蓋外フラップ３ｂは、第１側面パネル１ｂの上縁から延出する矩形状の本体１３ｂと、本体１３ｂの先端縁の中央部から突出する凸部１３ａとを有する。第２蓋外フラップ３ｂは、基端縁の両側の角部から先端縁に向けて幅方向の内側に傾斜して延びる一対の弱化線１４を有する。一対の弱化線１４は、本体１３ｂに形成されている。弱化線１４は直線状である。
【００２７】
（蓋内フラップ）
一対の蓋内フラップ４ａ、４ｂは矩形状かつ略同一形状に形成されている。蓋内フラップ４ａ、４ｂの幅は、第２側面パネル２ａ、２ｂの左右方向長さと略等しい。
【００２８】
箱体３０の蓋部の組立手順について詳述する。箱体３０の蓋部は、第１蓋外フラップ３ａ及び第２蓋外フラップ３ｂが互いに係合されることで、閉塞状態を保持できるように構成されている。換言すると、箱体３０の蓋部は、封函テープを用いなくても、第１蓋外フラップ３ａと第２蓋外フラップ３ｂとの係合によってロック状態を保てるように構成されている。
【００２９】
箱体３０の蓋部を組み立てる際には、上述したように、まず一対の蓋内フラップ４ａ、４ｂを内側に折り曲げる。次に、第１蓋外フラップ３ａを内側に折り曲げ、この第１蓋外フラップ３ａの外側に第２蓋外フラップ３ｂを折り重ねた状態で、第２蓋外フラップ３ｂの凸部１３ａが第１蓋外フラップ３ａの凹部１１を越えるまで第２蓋外フラップ３ｂを押し込んでゆく。この際に、第１蓋外フラップ３ａ及び第２蓋外フラップ３ｂにそれぞれ一対の弱化線１２、１４が設けられていることで、これらの弱化線１２、１４が適度に折れ曲がり、第２蓋外フラップ３ｂを容易に押し込むことができる。そして、第２蓋外フラップ３ｂの凸部１３ａが第１蓋外フラップ３ａの凹部１１を越えるまで第２蓋外フラップ３ｂを押し込んだ後、第２蓋外フラップ３ｂの押し込みを解除する。これにより、シートの反力で第１蓋外フラップ３ａと第２蓋外フラップ３ｂとが略平行になる位置まで押し戻される。その結果、第１蓋外フラップ３ａ及び第２蓋外フラップ３ｂの内側に一対の蓋内フラップ４ａ、４ｂが配置され、かつ第１蓋外フラップ３ａと第２蓋外フラップ３ｂとが互いに噛み合った状態で蓋部が形成される。
【００３０】
（投函口）
図３から図６に詳しく示すように、箱体３０には、蓋内フラップ４ａが延出している第２側面パネル２ａに、この第２側面パネル２ａと蓋内フラップ４ａとに跨って形成される舌片１５によって画定される投函口３１が設けられる。
【００３１】
舌片１５は、第２側面パネル２ａに形成され、左右方向に延びる折り曲げ容易線１６を下端として、第２側面パネル２ａ内に形成される左右方向に細長の本体１５ａと、本体１５ａの上縁から蓋内フラップ４ａ内に突出する突出部１５ｂとを有する。
【００３２】
箱体３０は、折り曲げ容易線１６で舌片１５を外側に折り曲げることで、第２側面パネル２ａに投函口３１を形成することができる。図６に示すように、この投函口３１は、本体１５ａに対応する部分が書類Ｐを挿入するための投函部として構成される。
【００３３】
折り曲げ容易線１６は第２側面パネル２ｂの上部に形成されている。この構成によると、箱体３０内に物品が収容されている場合でも、舌片１５の開閉作業を行うことで、箱体３０内に書類Ｐを容易に挿入することできる。また、当該箱用シート１０は、舌片１５を箱体３０の外側に引き出すことで投函口３１を形成できるので、舌片１５の開閉作業が箱体３０内に収容されている物品によって妨げられ難い。
【００３４】
第２側面パネル２ａの上縁と折り曲げ容易線１６との間隔Ｄ（図１参照）の下限としては、第２側面パネル２ａの上下方向長さＬの０．１倍が好ましく、０．２倍がより好ましい。一方、上記間隔Ｄの上限としては、第２側面パネル２ａの上下方向長さＬの０．４倍が好ましく、０．３倍がより好ましい。上記間隔Ｄが上記下限に満たないと、舌片１５における本体１５ａの上下幅を十分に大きくすることができず、投函口３１への書類Ｐの挿入が容易でなくなるおそれがある。逆に、上記間隔Ｄが上記上限を超えると、箱体３０内に物品が収容されている場合に、この物品によって書類Ｐの挿入が妨げられるおそれがある。
【００３５】
図４に示すように、突出部１５ｂの幅は、蓋内フラップ４ａ内において、突出方向先端側に向けて漸減していることが好ましい。また、蓋内フラップ４ａ内において、突出部１５ｂの両側の側縁は、いずれも突出方向先端側に向けて幅方向の内側に傾斜していることが好ましい。この構成によると、舌片１５による投函口３１の開閉作業の容易化を促進することができる。
【００３６】
突出部１５ｂは、第２側面パネル２ａと蓋内フラップ４ａとに跨って設けられている。突出部１５ｂには、第２側面パネル２ａと蓋内フラップ４ａとの境界線上に両端が位置し、第２側面パネル２ａ側に凸な持ち手形成用のスリット１７が設けられている。この構成によると、図３及び図４に示すように、第２側面パネル２ａ及び蓋内フラップ４ａの間の境界線とスリット１７とによって画定される持ち手部３２を摘んで舌片１５を箱体３０の外側に容易に引き出すことができる。そのため、舌片１５による投函口３１の開閉作業の容易化を促進することができる。
【００３７】
（底外フラップ）
第１底外フラップ５ａは、略矩形状に形成されている。第１底外フラップ５ａの幅は、第１側面パネル１ａの左右方向長さと略等しい。第１底外フラップ５ａは、先端縁に後述する凸部２０ａに係合する凹部１８を有する。凹部１８はＵ字状であり、より詳しくは角Ｕ字状（コ字状）である。第１底外フラップ５ａは、基端縁の両側の角部から先端縁に向けて幅方向の内側に傾斜して延びる一対の弱化線１９を有する。弱化線１９は直線状である。
【００３８】
第２底外フラップ５ｂの幅は、第１側面パネル１ｂの左右方向長さと略等しい。第２底外フラップ５ｂは、先端縁に凸部２０ａを有する。より詳しくは、第２底外フラップ５ｂは、第１側面パネル１ｂの下縁から延出する矩形状の本体２０ｂと、本体２０ｂの先端縁の中央部から突出する凸部２０ａとを有する。第２底外フラップ５ｂは、基端縁の両側の角部から先端縁に向けて幅方向の内側に傾斜して延びる一対の弱化線２１を有する。一対の弱化線２１は、本体２０ｂに形成されている。弱化線２１は直線状である。
【００３９】
（底内フラップ）
一対の底内フラップ６ａ、６ｂは矩形状かつ略同一形状に形成されている。底内フラップ６ａ、６ｂの幅は、第２側面パネル２ａ、２ｂの左右方向長さと略等しい。
【００４０】
箱体３０の底部は、蓋部と同様の手順で組み立てることができる。
【００４１】
＜利点＞
当該箱用シート１０は、舌片１５が、第２側面パネル２ａに形成され、左右方向に延びる折り曲げ容易線１６を下端縁として、第２側面パネル２ａ内に形成される左右方向に細長の本体１５ａを有するので、投函口３１における本体１５ａに対応する部分から箱体３０内に書類Ｐを挿入することができる。また、当該箱用シート１０は、舌片１５が、本体１５ａの上縁から蓋内フラップ４ａ内に突出する突出部１５ｂを有するので、投函口３１から箱体３０内に書類Ｐを挿入した後に、舌片１５によって投函口３１を塞いだ際に、図４に示すように突出部１５ｂが蓋内フラップ４ａの切断縁と当接することで、舌片１５の過剰な押し込みが防止される。そのため、当該箱用シート１０は、投函口３１の開閉を容易に行うことができる。当該箱用シート１０は、書類Ｐを箱体３０内に挿入する際に舌片１５を開放し、書類Ｐの挿入後には舌片１５を閉じることができるので、書類Ｐを外部から視認されない状態で、箱体３０内に安全に保管することができる。
【００４２】
当該箱用シート１０は、第１蓋外フラップ３ａ及び第２蓋外フラップ３ｂが互いに係合されることで、箱体３０の蓋部の閉塞状態を保持できるよう構成されているので、箱体３０の蓋部を組み立てるにあたって、封函テープを用いることを要しない。そのため、この封函テープによって舌片１５の開閉が妨げられない。従って、当該箱用シート１０は、舌片１５による投函口３１の開閉作業の容易化を促進することができる。
【００４３】
当該箱用シート１０は、第２蓋外フラップ３ｂが、先端縁に凸部１３ａを有し、第１蓋外フラップ３ａが、凸部１３ａに係合する凹部１１を有し、第１蓋外フラップ３ａ及び第２蓋外フラップ３ｂが、それぞれ基端縁の両側の角部から先端縁に向けて幅方向の内側に傾斜して延びる一対の弱化線１２、１４を有することによって、第１蓋外フラップ３ａと第２蓋外フラップ３ｂとを係合することで、封函テープを用いなくても箱体３０の蓋部を容易かつ確実に組み立てることができる。
【００４４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４５】
上記実施形態では、一対の第１側面パネルの上縁からそれぞれ蓋外フラップが延出し、一対の第２側面パネルの上縁からそれぞれ蓋内フラップが延出する構成について説明した。但し、当該箱用シートは、一対の第１側面パネルのうち、一方の第１側面パネルの上縁のみから蓋外フラップが延出していてもよい。この場合、１つの蓋外フラップによって箱体の上部開口を閉塞する構成を採用することができる。また、一対の第２側面パネルのうち、一方の第２側面パネルの上縁のみから蓋内フラップが延出していてもよい。
【００４６】
上記突出部は、上記蓋内フラップ内において、突出方向先端側に向けて拡幅する部分を有していてもよい。この構成によると、上記舌片の意図しない開放を抑制しやすい。
【００４７】
当該箱用シートは、上記突出部に上述の持ち手形成用のスリットが設けられていない構成を採用することも可能である。
【００４８】
当該箱用シートにおいて、箱体の蓋部及び底部を形成するための具体的な構成は特に限定されない。例えば当該箱用シートが、互いに係合される一対の蓋外フラップを有する場合、一方の蓋外フラップの先端縁に凸部が設けられており、他方の蓋外フラップに上記凸部が挿入される開口が設けられていてもよい。
【産業上の利用可能性】
【００４９】
以上のように、本考案の一態様に係る箱用シートは、書類を容易かつ安全に箱体内に保管するのに適している。
【符号の説明】
【００５０】
１ａ、１ｂ  第１側面パネル
２ａ、２ｂ  第２側面パネル
３ａ  第１蓋外フラップ
３ｂ  第２蓋外フラップ
４ａ、４ｂ  蓋内フラップ
５ａ  第１底外フラップ
５ｂ  第２底外フラップ
６ａ、６ｂ  底内フラップ
７  継代
１０  箱用シート
１１、１８  凹部
１２、１４、１９、２１  弱化線
１３ａ、２０ａ  凸部
１３ｂ、２０ｂ  本体
１５  舌片
１５ａ  本体
１５ｂ  突出部
１６  折り曲げ容易線
１７  スリット
３０  箱体
３１  投函口
３２  持ち手部
Ｐ  書類
Ｄ  第２側面パネルの上縁と折り曲げ容易線との間隔
Ｌ  第２側面パネルの上下方向長さ
【図１】
0003235205.tif 000003
【図２】
0003235205.tif 000004
【図３】
0003235205.tif 000005
【図４】
0003235205.tif 000006
【図５】
0003235205.tif 000007
【図６】
0003235205.tif 000008